(57)【要約】  【課題】  この発明によるプラスチック製袋の開き具は、プラスチック製袋が接触する面が、プラスチック製袋に対しそれぞれ接着および剥離を繰り返し行える特性を有する二つの圧着面と、当該二つの圧着面を一定の間隔に保持および連結するためのバネ性を持った柄により構成されていて、この二つの圧着面の間にプラスチック製袋を置き、柄に上下から圧力をかけてプラスチック製袋を挟み、この二つの圧着面にプラスチック製袋の上下２枚の面をそれぞれ接着させて、柄が有するバネ性によりこの二つの圧着面を上下に元の位置に戻してプラスチック製袋を開くか、またはプラスチック製袋の上下２枚の面をそれぞれ接着させた状態で、この二つの圧着面を左右または前後にスライドさせてプラスチック製袋を開くことを特徴とする。【選択図】  図１
2014201324.tif 000002
【特許請求の範囲】
【請求項１】
プラスチック製袋が接触する面が、プラスチック製袋に対しそれぞれ接着および剥離を繰り返し行える特性を有する二つの圧着面と、当該二つの圧着面を一定の間隔に保持および連結するためのバネ性を持った柄により構成されていて、この二つの圧着面の間にプラスチック製袋を置き、柄に上下から圧力をかけてプラスチック製袋を挟み、この二つの圧着面にプラスチック製袋の上下２枚の面をそれぞれ接着させて、柄が有するバネ性によりこの二つの圧着面を上下に元の位置に戻してプラスチック製袋を開くか、またはプラスチック製袋の上下２枚の面をそれぞれ接着させた状態で、この二つの圧着面を左右または前後にスライドさせてプラスチック製袋を開くことを特徴とするプラスチック製袋の開き具。
【請求項２】
前記二つの圧着面は、プラスチック製シートに対して繰り返し行える適度な接着性および剥離性をプラスチック製袋との接触面に持たせるために、印刷またはエッチング加工の手法によって作られた多数の凹凸による吸着性のある吸盤を有するシートまたは板を使用するか、繰り返し再剥離の可能な接着剤を直接圧着面に塗布するか、または既に再剥離の可能な接着剤が塗布されたシートが用いられていることを特徴とする請求項１に記載のプラスチック製袋の開き具。  
【請求項３】
前記の二つの圧着面の間にプラスチック製袋を挟んだ場合、プラスチック製袋により、プラスチック製袋に対しそれぞれ接着および剥離を繰り返し行える特性を有する二つの圧着面の全ての面が、覆われ難くするための機能を備えたことを特徴とする請求項１に記載のプラスチック製袋の開き具。  
【請求項４】
前記柄は、上下二つに分割されていて、一つの端末は互いに１本のピンにより連結され、それぞれピンを中心に左右の水平方向に回転することが出来ることを特徴とする請求項１に記載のプラスチック製袋の開き具。
【請求項５】
前記柄は、上下二つに分割されていて、一つの端末は互いに連結された状態で、その連結された支点を基に上下の柄が互いに柄の長さ方向にスライド出来る機能を備えたことを特徴とする請求項１に記載のプラスチック製袋の開き具。
【請求項６】
前記柄は、上下一体でバネ性を備えてはいるが、上下に圧力を加えてプラスチック製袋を挟んだ状態で上下に開くのみではなく、左右、前後にスライド出来る柔らかさを持つ材質で出来ていることを特徴とする請求項１に記載のプラスチック製袋の開き具。
【発明の詳細な説明】
【技術分野】
【０００１】
本発明はプラスチック製の袋を容易に開く方法に関するものである。
【背景技術】
【０００２】
従来、薄いシートで出来たプラスチック製の袋は静電気によるものであったり、２枚のシートの間に空気が入っていない真空状態であったりして、密着している時は袋を開き難かった。これを容易に開く方法として従来は、特許文献１のように滑り難い材質の上に袋を置き、手の指で上をこすって開ける方法があった。
【特許文献１】特開２００５−５９９５２
【発明の開示】
【発明が解決しようとする課題】
【０００３】
上記従来の方法は、滑り止めが付着されたマットの平面にプラスチック製の袋を置いて手の指で袋の上をスライドさせて袋を開く方法があるが、マットをどこか平面に設置する場所が必要であり、スーパーマーケットなどではマットを置く適当な平面が無い場所にプラスチック製の袋を設置することも多いため使い勝手に難点があった。また、プラスチック製の袋のスタンドの上の平面にマットを設置した場合でも、その場所を複数の人が同時に使用し難いという難点もあった。本発明は、これらの問題を解決するためになされたものである。
【課題を解決するための手段】
【０００４】
プラスチック製袋が接触する面が、プラスチック製袋に対しそれぞれ接着および剥離を繰り返し行える特性（以降、「接着および剥離を繰り返し行える特性」を「接着・剥離両性」と言う）を有する二つの圧着面と、当該二つの圧着面を一定の間隔に保持および連結するためのバネ性を持った柄により構成されていて、この二つの圧着面の間にプラスチック製袋を置き、柄に上下から圧力をかけてプラスチック製袋を挟み、接着・剥離両性を有する二つの圧着面にプラスチック製袋の上下２枚の面をそれぞれ接着させて、柄が有するバネ性によりこの二つの圧着面を上下に元の位置に戻してプラスチック製袋を開くか、またはプラスチック製袋の上下２枚の面をそれぞれ接着させた状態で、この二つの圧着面を左右または前後にスライドさせてプラスチック製袋を開くことを特徴とする。
【発明の効果】
【０００５】
本発明によるプラスチック製袋の開き具は、片手で操作できる大きさなので、プラスチ
ック製の袋のスタンドに紐を着けて吊るすか、またはそのプラスチック製の袋のスタンドの丸棒や薄板の構造材に取り付け治具などで簡単に場所も取らず固定できるため、設置が容易になった。また小さい為場所を取らず、複数個を吊すか、いろいろな所に固定出来るので複数の人が同時に使用することが容易になった。
【図面の簡単な説明】
【０００６】
【図１】本発明の実施の形態１にかかる説明図。
【図２ａ】本発明の実施の形態１の袋を置いた状態。
【図２ｂ】本発明の実施の形態１の袋を挟んだ状態。
【図２ｃ】本発明の実施の形態１の袋を開いた状態。
【図３】本発明の実施の形態２にかかる説明図。
【図４】本発明の実施の形態３にかかる説明図。
【図５】本発明の実施の形態３にかかる説明図。
【図６】本発明の実施の形態３にかかる説明図。
【図７】本発明の実施の形態４にかかる説明図。
【図８】本発明の実施の形態５にかかる説明図。
【図９】本発明の実施の形態６にかかる説明図。
【図１０ａ】本発明の実施の形態６の袋を挟んだ状態。
【図１０ｂ】本発明の実施の形態６の左右にスライドさせた状態。
【図１１ａ】本発明の実施の形態７の袋を置いた状態。
【図１１ｂ】本発明の実施の形態７の前方にスライドさせようとする前の状態。
【図１２】本発明の実施の形態８にかかる説明図。
【発明を実施するための最良の形態】
【０００７】
（実施の形態１）
本発明の実施の形態１を説明する。
この発明のプラスチック製袋の開き具１００は、図１に示すように、袋が接触する接触面１−１および１−２がそれぞれ接着・剥離両性を有している二つの圧着面２−１および２−２と、当該二つの圧着面を一定の間隔に保持および連結するためのバネ性を持った柄３により構成されている。  
【０００８】
プラスチック製袋が接触する接触面１−１および１−２は、プラスチック製の袋を接着して開いた後、簡単に剥がして取り外すことが出来、しかも繰り返し接着と剥離が出来るものでなくてはならない。そのために、接触面には印刷またはエッチング加工の手法で作られた多数の凹凸による吸盤を有する吸着性のシートを使用するか、繰り返し再剥離の可能な接着剤を直接圧着面２−１および２−２に塗布するかまたは既に再剥離の可能な接着剤が塗布されたシートが用いられている。接触面と圧着面との接着方法は、塗布によるものか、それぞれ別の素材であれば互いに密着されていればいずれの方法でも良い。    
【０００９】
二つの圧着面２−１および２−２は、前述のようにそれぞれ接着・剥離両性のある接触面１−１および１−２を有しているが、その二つの圧着面の間隔がプラスチック製袋を挟み易いような間隔を保つように柄３と連結されている。また、この二面の圧着面２−１および２−２は、互いに圧着する方向に力が加わりプラスチック製袋を挟んだ時、プラスチック製袋を開くことが出来る接着力がプラスチック面と接触面１−１および１−２に生じるような形状であり、同時に袋を開いた後は容易に袋を剥離出来る形状である条件も備えている。したがって、実施の形態１の説明図の図１では圧着面は平面で描かれているが、接着力によっては円筒形状や球で有っても良い。なお、圧着面の材質はプラスチック製袋を挟む力に耐える強さを持つものであれば何でも良い。
【００１０】
二つの圧着面２−１および２−２に連結されている柄３は、バネ性のある材質で出来ていて、前述した接触面１−１および１−２の間隔がプラスチック製袋を挟み易いような間隔に保つ役目のみならず、プラスチック製袋を挟んだ後に、その密着された二重の袋をバネの力で開くための役目も備えている。圧着面２と柄３の連結方法は、柄３に圧力を掛けて圧着面２−１および２−２を互いに圧着させる力に耐えれば良く、方法は特定しない。
【００１１】
本発明の実施の形態１を実際に使用する場合は、図２（a）に示すように、プラスチック製袋を接触面１−１と１−２の間に入れ、図２（b）のように、柄３を上下から手の指で圧力を掛けてプラスチック製袋を挟む。次に図２（c）のように、手の指の力をゆるめて元の位置まで接触面１−１と１−２を戻すとプラスチック製袋の２枚のシートはそれぞれ接触面１−１および１−２に接着されて袋は開かれる。この袋を接触面から剥がせば開封したプラスチック製袋として使用できる。
【００１２】
（実施の形態２）
本発明の実施の形態２を説明する。
この発明のプラスチック製袋の開き具２００は、図３で示すように、実施の形態１にプラスチック製袋を設置するスタンドなどに吊り下げるための吊り下げ部４を設けたことを特徴とする。吊り下げ方法や形状は多種考えられるが、本発明においてその方法は特定されるものではない。
【００１３】
（実施の形態３）
本発明の実施の形態３を説明する。
この発明のプラスチック製袋の開き具３００は、図４に示すように、実施の形態２にガイド部５−１および５−２を設けたことを特徴とする。
【００１４】
ガイド部５−１および５−２は、柄３の上下の開閉操作に邪魔にならないよう、それぞれ圧着面２−１または２−２のどちらか一方の横に固定されていて、圧着面２−１と２−２の間ではプラスチック製袋６が圧着面全ての面を覆わないような長さや位置を有している。ガイド部５−１および５−２を設けた理由は、図５に示すように、接触面１−１および１−２が全てプラスチック製袋６で覆われた状態でプラスチック製袋を挟んだ場合、密着した二重のプラスチック製袋６は開くことなく、どちらか一方の接触面側に張り付いてしまう。この原理は、満水にしたガラスコップに紙で蓋をした後逆さにしても水がこぼれない原理と同様で、ロールから取出したばかりのプラスチック製袋６では密着した二重のプラスチックの間には空気が無いことが多く、接触面１−１および１−２の全ての表面がプラスチック製袋６で覆われた状態では二重のプラスチックの間に周囲からも空気が入らず真空状態になるため、接着状態の僅かに強い方の接触面に２枚とも張り付いてしまう。この現象を防ぐためには、接触面１とプラスチック製袋６の間が真空状態にならないよう、プラスチック製袋６の開け口のある端部６−１０を接触面１−２および１−２で挟むことが必要となる。そのため、図６に示すように、接触面１−１および１−２の全ての面をプラスチック製袋が覆わず、プラスチック製袋６の開け口のある端部６−１０を挟むようにする一つの方法として、袋の侵入を止めるためのガイド部５−１および５−２を設けたものである。ガイド部５−１および５−２の形状は、柄３の上下の開閉操作に邪魔にならないようなものであれば特定しない。
【００１５】
（実施の形態４）
本発明の実施の形態４を説明する。
この発明のプラスチック製袋の開き具４００は、実施の形態３で説明したように、接触面１の全ての面をプラスチック製袋が覆うと袋が開かないため、これを防止する他の方法として図７に示すように、実施の形態１の場合の接触面１と圧着面２より、接触面１−５および１−６と圧着面２−５および２−６は、長さ寸法１−３０を長くしたことを特徴としている。これによりプラスチック製袋を奥に差し込む機会を少なくし、接触面１−１および１−２の全ての面をプラスチック製袋が覆い難くしたものである。
【００１６】
（実施の形態５）
本発明の実施の形態５を説明する。
この発明のプラスチック製袋の開き具５００は、実施の形態４同様、袋が開かないことを防止する別の方法として図８に示すように、実施の形態１の場合の接触面１と圧着面２の長さ寸法１−３０をより長くすると同時に、途中にくびれ７を作り、使用者に先端部分が主要使用部分と思わせるように円などの模様８を設けて、深くプラスチック製袋を差し込ませないようにして、接触面１−１および１−２の全ての面をプラスチック製袋が覆い
難くしたものである。なお、接触面１−１および１−２の全ての面をプラスチック製袋が覆わないようにする方法は、実施の形態３から実施の形態５に実施例を示したが、他の方法でも良い。  
【００１７】
（実施の形態６）
本発明の実施の形態６を説明する。
この発明のプラスチック製袋の開き具６００は、図９に示すように、プラスチック製袋が接触する接触面１と、二つの圧着面２と、柄３から構成されていることは実施の形態１と同様であるが、柄３が３−２と３−３に分離されていて、圧着面が連結されている側と反対側の柄の端の部分で連結ピン９によって連結されていることを特徴とする。
【００１８】
この柄３−２および３−３は連結ピン９によって連結されていることにより、それぞれピン９を中心に水平方向の回転することが出来、実施の形態６を実際に使用する場合は、図１０（a）に示すように、プラスチック製袋を柄３−２と３−３に上下から手の指で圧力を掛けて挟んだ状態で、図１０（b）に示すように、柄３−２と３−３を互いに反対方向に回転させることにより、プラスチック製袋の密着した二重になった２枚のシートはずらされて、間に空気が入り袋を容易に開けることが出来る。
【００１９】
（実施の形態７）
本発明の実施の形態７を説明する。
この発明のプラスチック製袋の開き具７００は、図１１（a）に示すように、接着・剥離両性の接触面１と二つの圧着面２と、柄３が柄３−４と３−５に分離された構成になっているところまでは実施の形態６と同様であるが、柄３−４と柄３−５が互いに柄の長さ方向にスライドすることを特徴とする。
【００２０】
柄３−４は、同じく図１１（a）に示すように、圧着面と反対側の端に設けられたピン１０とつながっているスライド部１１を有し、当該スライド部１１が、柄３−５の同じ端側に設けられた、上が狭く中が広い凸形の断面をした溝１２の中の広くなっている部分に沿ってスライドできる構造になっていることを特徴とする。この実施の形態７を実際に使用する時は、図１１（b）に示すように、プラスチック製袋６を柄３−４と３−５に上下から手の指で圧力を掛けて挟みながら、柄３−４の先端部分に付いているスライドツマミ１３を前に押して柄３−４をスライドさせることにより、プラスチック製袋の密着した二重に
なった上のシートがずらされて、間に空気が入り袋を容易に開けることが出来ようになる。なお、前述した実施の形態６および本実施の形態７の場合の柄３は分割されているが、当該柄３がバネ性を備えた上下一体の柄で、上下から圧力を加えてプラスチック製袋を挟ん
だ状態で上下に開くのみではなく、左右、前後にスライド出来る柔らかさを持つ材質で出
来ていても良い。
【００２１】
（実施の形態８）
本発明の実施の形態８を説明する。
この発明のプラスチック製袋の開き具８００は、図１２に示すように、前述された実施の形態１のプラスチック製袋の開き具１００を、プラスチック製袋の設置用スタンドや近くの何処かに簡単な固定治具１５で固定出来るようにしたことを特徴とする。  
【００２２】
プラスチック製袋の開き具１００と固定治具１５の取り付け方法は、プラスチック製袋の開き具１００の下部の柄３に二つの貫通穴１４−１と１４−２を設け、その穴を使用して２個のビス１６と２個のナット１７により固定治具１５に取り付け、当該固定治具１５によってプラスチック製袋の設置用スタンドなどの構造体である丸棒や薄板に開き具１００を固定設置する。
【００２３】
固定治具１５は、開き具１００を乗せるための取り付け台１８を有し、開き具１００に設けられた貫通穴１４−１と１４−２に対応した取り付け穴２０−１および２０−２を備え、その反対の端に、プラスチック製袋の設置用スタンドなどの構造体である丸棒や薄板にビスおよびナット２２により締め付けて固定するための締め付け片２１が備えられている。また、取り付け台１８は、幅が開き具１００の柄３の幅より若干小さく、開き具１００を取り付ける平面と直角な平面である副取り付け平面１９が設けられていて、角度が９０度異なる丸棒や薄板の場合でも副貫通穴２３と締め付け片２１を用いて同様に開き具１００を固定設置することが出来るようになっている。なお、開き具１００と取り付け治具１５の接続はビスおよびナット以外の方法でも良い。
【００２４】
この実施の形態８を用いて、プラスチック製袋の設置用スタンドなどの構造体である丸棒や薄板に固定した後、実際に使用する場合は、プラスチック製袋を固定された開き具１００の二つの接着面の間に置いて、上の柄を指で押さえてプラスチック製袋を挟んだ後、指を離せばプラスチック製袋がバネの力で開く。また、この固定治具１５は、前述した全ての実施の形態のプラスチック製袋の開き具に使用できるので、プラスチック製袋を挟んだ後は上下に開くのみではなく、プラスチック製袋を上下から挟みながら圧着面を左右にスライドさせる実施の形態や前後にスライドさせる実施の形態にも利用出来る。
【符号の説明】
【００２５】
１００    実施の形態１のプラスチック製袋の開き具。
２００    実施の形態２のプラスチック製袋の開き具。
３００    実施の形態３のプラスチック製袋の開き具。
４００    実施の形態４のプラスチック製袋の開き具。
５００    実施の形態５のプラスチック製袋の開き具。
６００    実施の形態６のプラスチック製袋の開き具。
７００    実施の形態７のプラスチック製袋の開き具。
８００    実施の形態８のプラスチック製袋の開き具。
１、１−１、１−２、１−３，１−４、１−５、１−６、１−７、１−８、１−９、
１−１０  実施の形態１の接触面
１−３０  接触面１−５および１−６と圧着面２−５および２−６の長さ寸法
２、２−１、２−２、２−３、２−４、２−５、２−６、２−７、２−８、２−９、
２−１０  実施の形態１の圧着面
３、３−１、３−２、３−３、３−４、３−５    柄
４、４−１  吊り下げ部
５−１、５−２、ガイド部
６  プラスチック製袋
６−１０  開け口のある端部
７        くびれ
８        模様
９        連結ピン
１０      ピン
１１      スライド部
１２      溝
１３      スライドツマミ
１４      貫通穴
１５      固定治具
１６      ビス
１７      ナット
１８      取り付け台
１９      副取り付け平面
２０−１、２０−２  取り付け穴
２１      締め付け片
２２      ビスおよびナット
２３      副貫通穴
【図１】
2014201324.tif 000003
【図２ａ】
2014201324.tif 000004
【図２ｂ】
2014201324.tif 000005
【図２ｃ】
2014201324.tif 000006
【図３】
2014201324.tif 000007
【図４】
2014201324.tif 000008
【図５】
2014201324.tif 000009
【図６】
2014201324.tif 000010
【図７】
2014201324.tif 000011
【図８】
2014201324.tif 000012
【図９】
2014201324.tif 000013
【図１０ａ】
2014201324.tif 000014
【図１０ｂ】
2014201324.tif 000015
【図１１ａ】
2014201324.tif 000016
【図１１ｂ】
2014201324.tif 000017
【図１２】
2014201324.tif 000018